(57)【要約】  【課題】  暗い場所において、バックライトの光が周りに及ぼす悪影響を低減することができる表示装置及び撮像装置を提供する。  【解決手段】  発光ダイオードなどのバックライト２４を有する表示パネル２２を備える撮像装置において、ＣＣＤなどの撮像部１４が撮像した画像に基づいて周囲の明るさを検出し、検出した明るさに応じて、バックライト２６の照度を低下させる。また、バックライトの照度を低下させた場合、表示パネルに表示する画像の低輝度部分の輝度を増加させる。【選択図】      図１
2006133295.tif 000002
【特許請求の範囲】
【請求項１】
バックライトを有する表示パネルを備える表示装置において、
周囲の明るさを検出する検出手段と、
該検出手段が検出した明るさに応じて、バックライトの照度を低下させるバックライト制御手段と
を備えることを特徴とする表示装置。
【請求項２】
前記バックライト制御手段がバックライトの照度を低下させた場合、表示パネルに表示する画像に対するガンマ補正を行う補正手段を備えることを特徴とする請求項１記載の表示装置。
【請求項３】
前記補正手段は、前記バックライト制御手段がバックライトの照度を低下させた場合、表示パネルに表示する画像内の所定輝度以下の部分の輝度を増加させるように構成してあることを特徴とする請求項２記載の表示装置。
【請求項４】
前記バックライトは、発光ダイオードであることを特徴とする請求項１乃至３の何れかひとつに記載の表示装置。
【請求項５】
撮像手段と、
該撮像手段が撮像した画像を表示する請求項１乃至４の何れかひとつに記載の表示装置と
を備え、
該表示装置の検出手段は、前記撮像手段が撮像した画像に基づいて周囲の明るさを検出するように構成してあることを特徴とする撮像装置。
【発明の詳細な説明】
【技術分野】
【０００１】
本発明は、バックライトを有する表示パネルを備える表示装置及び撮像装置に関する。
【背景技術】
【０００２】
デジタルカメラ、デジタルビデオカメラ、携帯電話などの種々の装置に、バックライトを有する液晶表示装置などの表示装置が用いられている。バックライトを有する表示装置は明るい環境下では視認性が低下するため、周囲の明るさの増加に応じて、表示パネルに表示する画像の明るさ、コントラストなどを増加させて、明るい環境下での視認性を向上させる表示装置が提案されている（例えば、特許文献１参照）。
【特許文献１】特開平６−８３２８７号公報
【発明の開示】
【発明が解決しようとする課題】
【０００３】
一方、バックライトを有する表示装置は、暗い環境下においては視認性が低下することはない。しかし、暗い環境下においては、バックライトが光源になる場合がある。例えば学芸会においては、観客席は暗く、観客席でデジタルビデオカメラを使用した場合、デジタルビデオカメラに設けられた液晶表示パネルが光源となり、光源に注意が向くなど、周りの観客に悪影響を及ぼすおそれがある。また、ステージ上から観客席の光源が容易に目に付くため、光源に注意が向くなど、ステージ上の演技者に悪影響を及ぼすおそれがある。このように、暗い環境下において表示装置を使用した場合、バックライトが光源となり、周りに悪影響を及ぼすおそれがある。
【０００４】
本発明は斯かる事情に鑑みてなされたものであり、周囲の明るさを検出する検出手段と、該検出手段が検出した明るさに応じて、バックライトの照度を低下させるバックライト制御手段とを備えることにより、暗い場所において、バックライトの光が周りに及ぼす悪影響を低減することができる表示装置及び撮像装置を提供することを目的とする。
【０００５】
また、本発明は、バックライト制御手段がバックライトの照度を低下させた場合、表示パネルに表示する画像に対するガンマ補正を行うガンマ補正手段を備えることにより、バックライトの照度を低下させた場合であっても、表示パネルに表示された画像の暗い部分が見難くなることを防止できる表示装置及び撮像装置を提供することを他の目的とする。
【０００６】
また、本発明は、バックライトが発光ダイオードであることにより、バックライトの照度をリニアに細かく調整することができる表示装置及び撮像装置を提供することを他の目的とする。
【課題を解決するための手段】
【０００７】
本発明に係る表示装置は、バックライトを有する表示パネルを備える表示装置において、周囲の明るさを検出する検出手段と、該検出手段が検出した明るさに応じて、バックライトの照度を低下させるバックライト制御手段とを備えることを特徴とする。
【０００８】
本発明に係る表示装置は、前記バックライト制御手段がバックライトの照度を低下させた場合、表示パネルに表示する画像に対するガンマ補正を行う補正手段を備えることを特徴とする。
【０００９】
本発明に係る表示装置は、前記補正手段は、前記バックライト制御手段がバックライトの照度を低下させた場合、表示パネルに表示する画像内の所定輝度以下の部分の輝度を増加させるように構成してあることを特徴とする。
【００１０】
本発明に係る表示装置は、前記バックライトは、発光ダイオードであることを特徴とする。
【００１１】
本発明に係る撮像装置は、撮像手段と、該撮像手段が撮像した画像を表示する請求項１乃至４の何れかひとつに記載の表示装置とを備え、該表示装置の検出手段は、前記撮像手段が撮像した画像に基づいて周囲の明るさを検出するように構成してあることを特徴とする。
【００１２】
本発明においては、照度センサなどの検出手段が検出した周囲の明るさに応じて、バックライト制御手段がバックライトの照度を低下させる。バックライト制御手段は、例えば検出手段が検出した周囲の明るさが低いほど、バックライトの照度が低くなるように、周囲の明るさの低下にほぼ比例してバックライトの照度を低下させたり、例えば検出手段が検出した周囲の明るさが所定値以下の場合、バックライトの照度を所定レベル低下させるなど、閾値に基づいてバックライトの照度を低下させることが可能である。例えば学芸会の観客席などの暗い場所においては、バックライトの照度を低下させて、バックライトの光が周りに及ぼす悪影響を低減することができる。
【００１３】
本発明においては、バックライト制御手段がバックライトの照度を低下させた場合、補正手段が表示パネルに表示する画像に対するガンマ補正を行う。バックライトの照度を低下させた場合、表示パネルに表示される画像全体が暗くなり、前記画像の暗い部分は見え難くなる。ガンマ補正を行うことにより、表示パネルに表示する画像の輝度を増加させ、表示パネルに表示された画像の暗い部分が見難くなることを防止できる。
【００１４】
本発明においては、バックライト制御手段がバックライトの照度を低下させた場合、表示パネルに表示する画像内の所定輝度以下の部分の輝度値を補正手段が増加させる。バックライトの照度を低下させた場合、表示パネルに表示される画像全体が暗くなり、前記画像の暗い部分は見え難くなる。表示パネルに表示する画像の暗い部分の輝度を増加させた場合、前記輝度の増加は、バックライトの照度の低下に打ち消されるが、バックライトの照度を低下させる前の輝度はほぼ維持される。そのため、バックライトの照度を低下させた場合であっても、表示パネルに表示された画像の暗い部分（所定輝度以下の部分）が見難くなることを防止できる。
【００１５】
本発明においては、バックライトに、発光ダイオードを用いている。発光ダイオードを用いた場合、蛍光管などに比べて、輝度の増減の制御が容易であり、バックライトの照度をリニアに細かく調整することができる。
【００１６】
本発明においては、ＣＣＤなどの撮像手段が撮像した画像に基づいて検出手段が周囲の明るさを検出する。撮像手段が撮像した画像に基づいて周囲の明るさを検出するため、新たに照度センサなどを設ける必要がなくなる。
【発明の効果】
【００１７】
本発明によれば、暗い場所において、バックライトの光が周りに及ぼす悪影響を低減することができる。
【００１８】
本発明によれば、バックライトの照度を低下させた場合であっても、表示パネルに表示された画像の暗い部分が見難くなることを防止できる。
【００１９】
本発明によれば、バックライトの照度をリニアに細かく調整することができる。
【発明を実施するための最良の形態】
【００２０】
以下、本発明をその実施の形態を示す図面に基づいて具体的に説明する。
第１の実施の形態
図１は、本発明に係る表示装置を含む撮像装置の一例を示すブロック図である。撮像装置は、撮像された画像データを出力する撮像部１４と、画像データを記憶する記憶部１６と、撮像部１４で撮像された画像データ及び記憶部１６から読出した画像データなどに対して各種画像処理を行う画像処理部３０と、画像処理部３０で処理された画像データを表示する表示部２０と、上述した撮像部１４、記憶部１６、画像処理部３０及び表示部２０の制御を行う制御部１０と、制御部１０に接続された操作部１２とを備える。
【００２１】
撮像部１４は、ＣＣＤ（Charge Coupled Device）などの撮像手段を備え、撮像した画像信号（アナログ信号）を画像データ（デジタル信号）に変換し、画像処理部３０へ送る。画像処理部３０は、画像メモリ３２を備え、撮像部１４から受取った画像データ及び記憶部１６から読出された画像データを画像メモリ３２に記憶し、表示部２０の特性に応じた画像データの補正処理などの各種画像処理を行った後、表示部２０へ送る。記憶部１６は、画像データを記憶する記憶媒体を備え、例えば内蔵型のハードディスク又は半導体メモリを用いたり、取出可能なＤＶＤ−Ｒなどの記録媒体又は半導体メモリを用いることが可能である。
【００２２】
表示部２０は、ＬＥＤ（発光ダイオード）などのバックライト２４を有する液晶表示パネル２２と、バックライト２４を駆動してバックライト２４の輝度を調整するバックライト駆動部２６と、画像処理部３０から受取った画像データに基づいて液晶表示パネル２２を駆動して液晶表示パネル２２に画像データに応じた画像を表示する表示駆動部２８とを備える。バックライト駆動部２６及び表示駆動部２８は制御部１０の制御によって駆動される。
【００２３】
制御部１０は、画像処理部３０で処理されている画像データの輝度分布などを取得し、周囲の明るさを検出する手段（検出手段）として動作する。また、制御部１０は、検出した明るさの低下に応じて、バックライト駆動部２６を制御して、バックライト２４の照度を低下させる手段（バックライト制御手段）として動作する。制御部１０には、例えば基準の明るさ（輝度）が予め設定されており、基準の明るさに対する周囲の明るさ（例えば画像データの輝度平均）の低下にほぼ比例するように、バックライト２４の照度を低下させる。
【００２４】
撮像装置で例えば学芸会のステージを観客席から撮像する場合、撮像される画像は屋外（基準の明るさ）と比べて暗くなるため、制御部１０は、画像データの各画素の輝度が全体的に低いことを検出し、バックライト駆動部２６を制御してバックライト２４の照度を低下させる。観客席は暗いため、バックライト２６が光源となるおそれがあるが、バックライト２６の照度を低下させることにより、バックライト２４の光が周りの観客及びステージ上の演技者などに及ぼす悪影響を低減することができる。なお、バックライト２６の照度を低下させているが、周りが暗いため、視認性に問題は生じない。
【００２５】
上述した実施の形態においては、周囲が暗い場合にバックライト２４の照度を低下させたが、バックライト２４を低下させた場合は、画像データの暗い部分（低輝度の部分）はより暗く（より低輝度に）なり、見難くなるという問題が生じることが考えられる。そこで、表示部２０に表示する画像データのガンマ補正を行って、画像データの低輝度部分の輝度を上げることも可能である。
【００２６】
図２は、本発明に係る表示装置を含む撮像装置の他の例を示すブロック図である。図２に示す撮像装置の構成は図１と同様であり、各構成要素には図１と同様の符号をつけている。画像処理部３０には、画像データの入力と出力との対応関係を表すガンマ補正テーブルが記憶されている。画像処理部３０は、ガンマ補正テーブルに基づいて、入力された画像データのガンマ補正（各画素の輝度の補正）を行う。
【００２７】
図３（ａ）、（ｃ）、（ｅ）はガンマ補正テーブルの例を示す図であり、図３（ｂ）、（ｄ）、（ｆ）はガンマ補正後の画像データの例を示す図である。図３（ａ）はガンマ補正を行わない状態のガンマ補正テーブルであり、図３（ｂ）はガンマ補正を行わない表示画像（画像データ）であり、表示画像４０には明るい（輝度の高い）領域４２と暗い（輝度の低い）領域４４とが含まれている。
【００２８】
制御部１０は、周囲が暗いためにバックライト２４の照度を低下させた場合、ガンマ補正テーブルを変更することにより、液晶表示パネル２２に表示する画像内の低輝度部分に対して輝度を増加させる手段（補正手段）として動作する。例えば、図３（ｃ）に示すように、各入力に対する出力が夫々増加するように、ガンマ補正テーブルを変更する。図３（ｄ）は、図３（ｃ）に示すガンマ補正テーブルを用いてガンマ補正を行った表示画像の例であり、図３（ｂ）に示す表示画像４０に比べて、暗い領域４４及び明るい領域４２の輝度が増加されている。
【００２９】
周囲が暗いためにバックライト２４を低下させる場合、制御部１０の制御によってガンマ補正テーブルを変更し、液晶表示パネル２２に表示する表示画像の低輝度部分の輝度を増加させるため、低輝度部分の輝度をあまり低下させずに、バックライト２４の照度を低下させることができる。そのため、バックライト２４の照度を低下させた場合の低輝度部分の視認性を向上させることができる。
【００３０】
第２の実施の形態
上述した各実施の形態においては、撮像装置を例にして説明したが、本発明は、バックライトを有する表示装置を備える例えば携帯電話又はゲーム機など任意の装置に適応することが可能である。また、本発明は、バックライトを有する表示装置として実施することも可能である。図４は、本発明に係る表示装置の構成例を示すブロック図である。
【００３１】
表示装置は、外部から受付けた画像データに対して各種画像処理を行う画像処理部３０と、画像処理部３０で処理された画像データを表示する表示部２０と、上述した画像処理部３０及び表示部２０の制御を行う制御部１０と、制御部１０に接続された操作部１２及び照度センサ（検出手段）５０とを備える。表示部２０、画像処理部３０、操作部１２及び制御部１０の構成は第１の実施の形態（図１）とほぼ同様である。ただし、制御部１０は、照度センサ５０から照度信号を受付け、受付けた照度信号に基づいて、周囲の明るさを検出する。検出した明るさの低下に応じたバックライト２４の照度の低下は第１の実施の形態と同様に行う。
【００３２】
また、図４に示す表示装置において、上述した実施の形態（図２）と同様に、画像処理部３０に記憶されているガンマ補正テーブルを変更することも勿論可能である。また、上述した各実施の形態（図１及び図２）に、照度センサを設け、照度センサを用いて周囲の明るさを検出することも勿論可能である。
【００３３】
また、ガンマ補正テーブルの変更は、任意に変更することが可能であり、例えば学芸会においては、ステージがメインとなるので、図３（ｅ）、（ｆ）に示すように、明るい（高輝度）部分の輝度を増加させることも可能である。
【００３４】
また、バックライトはＬＥＤに限定はされず、任意の発光体を用いることが可能であるが、ＬＥＤを用いた場合は、バックライトの照度をリニアに細かく調整することができる。
【図面の簡単な説明】
【００３５】
【図１】本発明に係る表示装置を含む撮像装置の一例を示すブロック図である。
【図２】本発明に係る表示装置を含む撮像装置の他の例を示すブロック図である。
【図３】（ａ）、（ｃ）、（ｅ）はガンマ補正テーブルの例を示す図であり、（ｂ）、（ｄ）、（ｆ）はガンマ補正後の画像データの例を示す図である。
【図４】本発明に係る表示装置の構成例を示すブロック図である。
【符号の説明】
【００３６】
１０  制御部
１２  操作部
１４  撮像部
１６  記憶部
２０  表示部
２２  液晶表示パネル
２４  バックライト
２６  バックライト駆動部
２８  表示駆動部
３０  画像処理部
３２  画像メモリ
３４  ガンマ補正テーブル
４０  表示画像
４２  明るい領域
４４  暗い領域
５０  照度センサ
【図１】
2006133295.tif 000003
【図２】
2006133295.tif 000004
【図３】
2006133295.tif 000005
【図４】
2006133295.tif 000006